(57)【要約】【課題】固定用治具の簡素な構成を保持しつつ、二つの枠材を所定角度に保持することを可能にした固定用治具を提供することを課題とする。【解決手段】棒状の基体２と、基体の一端部に、基体の長さ方向と交差する方向に沿って連設された固定腕３と、固定腕と略並行に配設されるとともに、基体に、その軸方向に沿って移動可能にかつ軸周りの回動が拘束された状態で嵌合された可動腕４とを備え、固定腕および可動腕のそれぞれの先端部に、枠材を挟持するクランプ５・６がそれぞれ設けられ、クランプの少なくとも一方が、固定腕および可動腕を含む面内で揺動可能に設けられていることを特徴とする。【選択図】図１
0003176138.tif 000002
【実用新案登録請求の範囲】
【請求項１】
二つの枠材を所定角度で突き合わせて保持するための固定用治具であって、棒状の基体と、この基体の一端部に、この基体の長さ方向と交差する方向に沿って連設された固定腕と、この固定腕と略並行に配設されるとともに、前記基体に、その軸方向に沿って移動可能にかつ前記基体の軸周りの回動が拘束された状態で嵌合された可動腕とを備え、前記固定腕および前記可動腕のそれぞれの先端部に、前記枠材を挟持するクランプがそれぞれ設けられ、これらのクランプの少なくとも一方が、前記固定腕および前記可動腕を含む面内で揺動可能に設けられていることを特徴とする固定用治具。
【請求項２】
前記クランプの一方が、前記固定腕若しくは前記可動腕に固定されているとともに、前記クランプの他方が、前記固定腕若しくは前記可動腕に揺動可能に設けられていることを特徴とする請求項１に記載の固定用治具。
【請求項３】
前記クランプの両方が、前記固定腕若しくは前記可動腕に揺動可能に設けられていることを特徴とする請求項１に記載の固定用治具。
【考案の詳細な説明】
【技術分野】
【０００１】
本考案は、２つの枠材を接着固定する際に用いられる固定用治具に関するものである。
【背景技術】
【０００２】
従来、２つの枠材を固定する治具が、たとえば特許文献１において提案されている。
【０００３】
この技術は、棒状の基体と、この基体の一端部にこの基体とほぼ直交して一体に設けられた固定腕と、この固定腕と略並行に設けられ、かつ、前記基体の軸方向に移動可能に設けられた可動腕とを備え、この可動腕に、前記固定腕との間でクランプを構成する押圧部材を設けた構成となっている。
【０００４】
そして、前記クランプ内に枠材を挟み込んで締め付けることにより、これらの枠材を固定するようにしている。
【先行技術文献】
【特許文献】
【０００５】
【特許文献１】実開平３−７４７２号公報
【考案の概要】
【考案が解決しようとする課題】
【０００６】
前述した従来の技術は、構造が簡素で取り扱いが容易であるという利点を有するが、前記クランプ内に枠材を挟み込んでこれらの枠材を固定するようにしていることから、前記枠材を、その側面同士を重ね合わせた状態でしか固定することができない。
【０００７】
すなわち、前記枠材の端部を突き合わせて、これらの枠材を所定角度に保持することができないといった不具合がある。
【０００８】
本考案は、このような問題点に鑑みてなされたもので、従来の固定用治具の利点を保持しつつ、二つの枠材を所定角度に保持することを可能にした固定用治具を提供することを課題とする。
【課題を解決するための手段】
【０００９】
本考案の請求項１に記載の固定用治具は、二つの枠材を所定角度で突き合わせて保持するための固定用治具であって、棒状の基体と、この基体の一端部に、この基体の長さ方向と交差する方向に沿って連設された固定腕と、この固定腕と略並行に配設されるとともに、前記基体に、その軸方向に沿って移動可能にかつ前記基体の軸周りの回動が拘束された状態で嵌合された可動腕とを備え、前記固定腕および前記可動腕のそれぞれの先端部に、前記枠材を挟持するクランプがそれぞれ設けられ、これらのクランプの少なくとも一方が、前記固定腕および前記可動腕を含む面内で揺動可能に設けられていることを特徴としている。
【００１０】
このような構成とすることにより、端部が斜めに切断された枠材を、その切断面を突き合わせて、これらの枠材を所定角度で固定することができる。
【００１１】
すなわち、前記両クランプのそれぞれに枠材を仮保持した後に、これらの枠材を、前記クランプ内を滑らせながら移動させて、前記枠材の端部同士を突き合わせる。
【００１２】
ここで、揺動可能に設けられているクランプの揺動によって、このクランプに仮保持された枠材が回動させられて、両枠材間の角度が調整されることにより、各枠材の切断面が並行となるように調整される。
【００１３】
この状態で、両枠材を接近させてその切断面を突き合わせると、その反力により、前記可動腕が、その先端部を前記固定腕から離れるように若干回動させられ、この結果、前記固定腕と前記基体とが前記固定腕の基部において係合状態となり、前記固定腕が基体に固定される。
【００１４】
ついで、各クランプで前記枠材を本固定することにより、前記両枠材を、その端部を突き合わせた状態で固定、すなわち、前記切断面の角度によって決まる角度で固定される。
【００１５】
一方、固定用治具が、一体形成された基体および固定腕、前記基体に移動可能に取り付けられた可動腕と、これらの固定腕および可動腕に装着されたクランプとによって構成されており、前記可動腕と前記基体との固定が、前記可動腕の若干の傾動によって行なわれるものであるから、前述した二つの枠体を所定角度で固定する操作を、極めて簡素な構成で実現することができる。
【００１６】
本考案の請求項２に記載の固定用治具は、請求項１に記載の前記クランプの一方が、前記固定腕若しくは前記可動腕に固定されているとともに、前記クランプの他方が、前記固定腕若しくは前記可動腕に揺動可能に設けられていることを特徴としている。
【００１７】
このような構成とすることにより、一方の前記クランプが固定されていることにより、一つの枠体を不動状態に保持した状態で、他の枠体の位置調整や突き合わせ操作を行なうことができる。
これによって、二つの枠体の固定操作を容易にすることができる。
【００１８】
本考案の請求項３に記載の固定用治具は、請求項１に記載の前記クランプの両方が、前記固定腕若しくは前記可動腕に揺動可能に設けられていることを特徴としている。
【００１９】
このような構成とすることにより、保持される二つの枠体の姿勢調整を個別に行なうことができる。
【考案の効果】
【００２０】
本考案の固定用治具にあっては、二つの枠体を所定角度で固定することを可能にし、また、一体形成された基体および固定腕、前記基体に移動可能に取り付けられた可動腕と、これらの固定腕および可動腕に装着されたクランプとによって構成されており、前記可動腕と前記基体との固定が、前記可動腕の若干の傾動によって行なうようにして、前述した固定操作を極めて簡素な構成で実現することができる。
【図面の簡単な説明】
【００２１】
【図１】本考案の一実施形態を示す正面図である。
【図２】本考案の一実施形態を示すもので、可動腕の側面図である。
【図３】本考案の一実施形態を示すもので、固定手順を示す正面図である。
【図４】本考案の一実施形態を示すもので、固定手順を示す正面図である。
【図５】本考案の他の実施形態を示す正面図である。
【図６】本考案の他の実施形態を示すもので、可動腕の側面図である。
【考案を実施するための形態】
【００２２】
以下、本考案の一実施形態を図１ないし図４を参照して説明する。
図１中、符号１は本実施形態に係わる固定用治具を示し、後述する二つの枠材（Ｗ）を所定角度で突き合わせて保持するための固定用治具１であって、棒状の基体２と、この基体２の一端部に、この基体２の長さ方向と交差する方向に沿って連設された固定腕３と、この固定腕３と略並行に配設されるとともに、前記基体２に、その軸方向に沿って移動可能にかつ前記基体２の軸周りの回動が拘束された状態で嵌合された可動腕４とを備え、前記固定腕３および前記可動腕４のそれぞれの先端部に、前記枠材Ｗを挟持するクランプ５・６がそれぞれ設けられている。
【００２３】
本実施形態では、前記固定腕３に設けられているクランプ５が、前記固定腕に固定されているとともに、前記可動腕４に設けられているクランプ６が、前記可動腕に揺動可能に設けられている
【００２４】
前記両クランプ５・６は、図２に示すように、縦断面形状がＵ字形状となされた基台７と、この基台７の対向する壁面の一方の壁面に螺合された締め付けボルト８と、この締め付けボルト８の先端に回動自在に装着されるとともに、前記基台７の内部に位置されて、前記基台７の他方の壁面に対向させられた挟持プレート９を備えている。
【００２５】
そして、前記固定腕３に固定されるクランプ５は、前記基台７の底面が、前記固定腕３の長さ方向に対して４５°の角度となるように固定されている。
【００２６】
また、前記可動腕４に取り付けられるクランプ６は、前記基台７の下面に一対のフランジ１０が一体に取り付けられており、これらのフランジ１０間に、前記可動腕４の先端部が挿入されるとともに、これらのフランジ１０と可動腕４の先端部がピン１１によって連結されることにより、前記クランプ６が前記可動腕４に揺動可能に取り付けられている。
【００２７】
一方、前記基体２はその断面が矩形状に形成されており、この基体２に嵌合される前記可動腕４の基端部には、前記基体１の断面形状よりも若干大きな内面形状を有する貫通孔４ａが形成されており、前記基体２が、図１に矢印（ロ）で示すように、移動可能に嵌合させられるとともに、前記基体２および前記固定腕３を含む面内において、図１に矢印（イ）で示すように、微少角度内で揺動させられるようになっている。
【００２８】
そして、前記可動腕４は、その最大揺動位置において、前記貫通孔４ａの両端部の角部が前記基体２に圧接させられることによって、この基体２の長さ方向への移動が拘束されるようになっている。
【００２９】
ついで、このように構成された本実施形態の固定用治具１の使用方法について、先端が４５°の角度で切断された一対の枠体Ｗを９０°の角度で固定する例をとって説明する。
【００３０】
まず、図３に示すように、前記固定腕３に設けられている前記クランプ５の基台７に一方の枠材Ｗを装着し、前記締め付けボルト８を締め付けることにより、挟持プレート９と前記基台７とによって前記枠材Ｗを固定する。
【００３１】
ついで、他方のクランプ６に他方の枠材Ｗを仮固定した後に、この枠材Ｗを、前記クランプ６内を滑らせながら軸方向に移動させて、図４に示すように、前記両枠材Ｗの先端の切断面同士を突き合わせる。
【００３２】
これらの枠材Ｗの位置関係を保持しつつ、前記可動腕４を前記固定腕３から離間する方向に揺動させることにより、この可動腕４を前記基体２に係合させ、この状態で、前記可動腕４のクランプ６により前記枠材Ｗを本固定する。
【００３３】
このような操作に際して、一方の枠材Ｗは、前記クランプ５および固定腕３を介して前記基体２に固定されているから、この一方の枠材Ｗに当接させられている他方の枠材Ｗもその位置が固定される。
【００３４】
そして、この固定された他方の枠材Ｗを支持体として前記可動腕４を揺動させることができるので、前記可動腕４が前記基体２に係合させられ、これによって、固定用治具１の各構成部材および両枠材Ｗが固定状態に保持される。
したがって、前記両枠材Ｗの切断面の角度が４５°となされていることから、両枠材Ｗが９０°の角度で固定される。
【００３５】
また、揺動可能に設けられているクランプ６の揺動によって、このクランプ６に仮保持された枠材Ｗが回動させられて、両枠材Ｗ間の角度が調整されることにより、各枠材Ｗの切断面どうしの突き合わせが容易に行なわれる。
【００３６】
ここで、前記両枠材Ｗの切断面すなわち突き合わせ面に接着剤を塗布しておいてこれらの枠材Ｗを突き合わせて固定すれば、これらを９０°の角度に接続することができる。
【００３７】
なお、前記実施形態において示した各構成部材の諸形状や寸法等は一例であって設計要求等に基づき種々変更可能である。
【００３８】
たとえば、前記枠材Ｗの接続角度は９０°に限らず任意に設定されるものであり、また、固定腕３に取り付けられるクランプ５を、図５に示すように、他のクランプ６と同様に揺動可能な構成とすることもできる。
【００３９】
さらに、前記クランプ５・６を構成する基台７の内面や挟持プレート９の内面（前記枠材Ｗと接触する面）に、図６に示すように、高摩擦部材１２・１３を取り付けておくことも可能である。
【００４０】
このような構成とすることにより、仮固定時の枠材Ｗの滑りを極力少なくして、これらの位置合わせを容易にし、また、本固定時における枠材Ｗのずれを抑制することができる。
【符号の説明】
【００４１】
１  固定用治具
２  基体
３  固定腕
４  可動腕
４ａ  貫通孔
５  クランプ
６  クランプ
７  基台
８  締め付けボルト
９  挟持プレート
１０  フランジ
１１  ピン
１２  高摩擦部材
１３  高摩擦部材
Ｗ  枠材
【図１】
0003176138.tif 000003
【図２】
0003176138.tif 000004
【図３】
0003176138.tif 000005
【図４】
0003176138.tif 000006
【図５】
0003176138.tif 000007
【図６】
0003176138.tif 000008